(57)【要約】【課題】自分撮りをする場合等において、被写体をより適正な構図でより美しく撮影する機能を簡易な構成でかつ容易に提供すること。【解決手段】撮像装置１において、撮像部２２は、被写体を撮像する。表示部２１は、撮像部２２により撮像される被写体に対して射出光が届く範囲内に設置可能であり、その射出光を用いて画像を表示する。射出光制御部７５は、表示部２１からの射出光（照射光）が被写体の撮影状態に与える影響を考慮して、撮影時における表示部２１により表示される画像の表示内容と表示状態のうち少なくとも一方を、本撮影時の露光期間とそれ以外とで異ならせる制御を実行する。【選択図】図４
2014183558.tif 000002
【特許請求の範囲】
【請求項１】
被写体を撮像する撮像手段と、
前記撮像手段により撮像される前記被写体に対して射出光が届く範囲内に設置可能な、前記射出光を用いて画像を表示する表示手段と、
前記表示手段からの射出光が前記被写体の撮影状態に与える影響を考慮して、撮影時における前記表示手段により表示される画像の表示内容と表示状態のうち少なくとも一方を、本撮影時の露光期間とそれ以外とで異ならせる制御を実行する射出光制御手段と、
を備えることを特徴とする撮像装置。
【請求項２】
前記射出光制御手段は、少なくとも本撮影時の露光期間の前には、前記表示手段の表示内容をライブビュー画像とする制御を実行する、
ことを特徴とする請求項１に記載の撮像装置。
【請求項３】
前記射出光制御手段は、前記表示手段の表示状態を、本撮影時の露光期間の前には前記ライブビュー画像の視認に適した表示状態とし、本撮影時の露光期間中には被写体の撮影に適した射出光を与える表示状態とする制御を実行する、
ことを特徴とする請求項２に記載の撮像装置。
【請求項４】
前記射出光制御手段は、本撮影時の露光期間中に、前記ライブビュー画像を表示したままで、前記ライブビュー画像の明るさと色合いとのうち少なくとも一方を設定することで、被写体の撮影に適した照射光を与える表示状態とする制御を実行する、
ことを特徴とする請求項３に記載の撮像装置。
【請求項５】
前記表示手段は、バックライトに基づいて前記射出光を射出することで画像を表示し、
前記射出光制御手段は、本撮影時の露光期間中には、当該本撮影時の露光期間の前よりも前記表示手段の前記バックライトの輝度を上げる制御を実行する、
ことを特徴とする請求項１乃至４のうち何れか１項に記載の撮像装置。
【請求項６】
前記射出光制御手段は、本撮影時の露光期間中には、前記表示手段の色合いを、前記被写体の種別に応じた色合いにする制御を実行する、
ことを特徴とする請求項１乃至５のうち何れか１項に記載の撮像装置。
【請求項７】
前記射出光制御手段は、前記被写体が人物の場合には、本撮影時の露光期間中に、前記表示手段の色合いを、前記本撮影時の露光期間以外と比較して、より赤みのある色合いにする制御を実行する、
ことを特徴とする請求項１乃至６のうち何れか１項に記載の撮像装置。
【請求項８】
前記射出光制御手段は、前記表示手段の表示内容を、本撮影時の露光期間の前にはライブビュー画像とし、本撮影時の露光期間中には、画像が表示された前記表示手段からの射出光が前記被写体の撮影状態に所定の影響を与える所定の表示内容とする制御を実行する、
ことを特徴とする請求項３に記載の撮像装置。
【請求項９】
前記射出光制御手段は、本撮影時の露光期間中には、前記所定の表示内容として、前記表示手段に表示される画像内の相対的に明るい部分の形状を、被写体が人物の場合におけるキャッチアイ効果を考慮した所定の形状にする制御を実行する、
ことを特徴とする請求項８に記載の撮像装置。
【請求項１０】
前記射出光制御手段は、本撮影時の露光期間中には、前記所定の表示内容として、前記表示手段に表示される画像内の相対的に明るい部分の位置を、被写体の種類と状態のうち少なくとも一方に応じて変化させる制御を実行する、
ことを特徴とする請求項８に記載の撮像装置。
【請求項１１】
前記射出光制御手段は、前記被写体が撮影者自身となる動作モードが設定された場合、前記表示手段の表示状態を、人物の撮影に適した射出光を与える表示状態とする制御を実行する、
ことを特徴とする請求項２に記載の撮像装置。
【請求項１２】
前記表示手段は、その表示面を撮像方向とその反対方向との間で回動可能であり、当該表示面が撮像方向に向けられた場合に、前記前記被写体が撮影者自身となる前記動作モードであると判断する主制御手段
をさらに備えることを特徴とする請求項１１に記載の撮像装置。
【請求項１３】
被写体を撮像する撮像手段と、
前記撮像手段により撮像される被写体に対して射出光が届く範囲内に設置可能な、前記射出光を用いて画像を表示する表示手段と、
を備える撮像装置に対する制御を実行する撮像制御方法であって、
前記表示手段からの射出光が前記被写体の撮影状態に与える影響を考慮して、撮影時における前記表示手段により表示される画像の表示内容と表示状態のうち少なくとも一方を、本撮影時の露光期間とそれ以外とでは異ならせる制御を実行する射出光制御ステップ、
を含むことを特徴とする撮像制御方法。
【請求項１４】
被写体を撮像する撮像手段と、
前記撮像手段により撮像される被写体に対して射出光が届く範囲内に設置可能な、前記射出光を用いて画像を表示する表示手段と、
を備える撮像装置に対する制御を実行するコンピュータを、
前記表示手段からの射出光が前記被写体の撮影状態に与える影響を考慮して、撮影時における前記表示手段により表示される画像の表示内容と表示状態のうち少なくとも一方を、本撮影時の露光期間とそれ以外とでは異ならせる制御を実行する射出光制御手段、
として機能させることを特徴とするプログラム。
【発明の詳細な説明】
【技術分野】
【０００１】
本発明は、撮像装置、撮像制御方法及びプログラムに関する。
【背景技術】
【０００２】
従来より、表示部を含む撮像装置が広く普及している。このような撮像装置は、記録用の撮像指示が行われる前から、ライブビュー画像を表示部に表示させることが多い。そこで、撮影者は、表示部に表示されるライブビュー画像を見ながら構図を決定する等して、シャッタボタンの押下操作等により記録用の撮像指示を行う。
【０００３】
このような撮影者に対するライブビュー画像の視認性を高めるべく、表示部の輝度を、撮像時の周囲の環境に応じて変化させる技術が、例えば特許文献１や特許文献２に開示されている。
また、このような表示部として採用される従来の液晶型表示装置において、環境光等に応じて、ＬＥＤ（Ｌｉｇｈｔ  Ｅｍｉｔｔｉｎｇ  Ｄｉｏｄｅ）のバックライトの輝度制御や色温度制御を実行する技術が、特許文献３や特許文献４に開示されている。
【０００４】
ところで、近年、いわゆるビューティ機能等を用いて被写体をより美しく撮影したいという要望が挙げられている。街頭や鉄道駅構内等に設置されている自動撮影機等の特殊な撮像装置を用いて通常よりも強い光を顔に照射しながら撮影することで、顔の影を無くしたり、顔の染みや皺を目立たなくして、かかる要望に応えることは従来から可能となっている。このような、環境光の変化が大きい場所に設置されている撮像装置においては、構図や顔の状態を確認しやすくするために上記従来技術を用いてライブビュー画像の視認性を高めることは有効である。
【先行技術文献】
【特許文献】
【０００５】
【特許文献１】特開平９−６５１８１号公報
【特許文献２】特開２００１−３０５６３７号公報
【特許文献３】特開２０１０−３２７３２号公報
【特許文献４】特開２０１１−７１６８０号公報
【発明の概要】
【発明が解決しようとする課題】
【０００６】
しかしながら、ユーザが携帯する一般的なカメラを用いていわゆる自分撮りをする場合等においては、特許文献１乃至４を含め従来の技術を適用しても、被写体をより適正な構図でより美しく撮影したいという要望に充分に応えることができなかった。
【０００７】
本発明は、このような状況に鑑みてなされたものであり、撮影者自身が被写体となる自分撮りをする場合等において、被写体をより適正な構図でより美しく撮影する機能を簡易な構成でかつ容易に提供することを目的とする。
【課題を解決するための手段】
【０００８】
上記目的を達成するため、本発明の一態様の撮像装置は、
被写体を撮像する撮像手段と、
前記撮像手段により撮像される前記被写体に対して射出光が届く範囲内に設置可能な、前記射出光を用いて画像を表示する表示手段と、
前記表示手段からの射出光が前記被写体の撮影状態に与える影響を考慮して、撮影時における前記表示手段により表示される画像の表示内容と表示状態のうち少なくとも一方を、本撮影時の露光期間とそれ以外とで異ならせる制御を実行する射出光制御手段と、
を備えることを特徴とする。
【発明の効果】
【０００９】
本発明によれば、撮影者自身が被写体となる自分撮りをする場合等において、被写体をより適正な構図でより美しく撮影する機能を簡易な構成でかつ容易に提供することができる。
【図面の簡単な説明】
【００１０】
【図１】本発明の一実施形態に係る撮像装置の外観構成を示す平面図である。
【図２】机上等に立設された図１の撮像装置の外観構成を示す斜視図である。
【図３】図１の撮像装置のハードウェアの構成を示すブロック図である。
【図４】図３の撮像装置が有する機能のうち、撮像記録指示による撮像処理の実行機能を発揮させる機能的構成を示す機能ブロック図である。
【図５】図４の機能的構成を有する画像処理装置１の動作の概略を説明するタイミングチャートである。
【図６】図４の機能的構成を有する画像処理装置が実行する、撮像記録指示による撮像処理の第１の例の流れを説明するフローチャートである。
【図７】図１の撮像装置に表示される所定の絵柄の画像として、当該画像の明るい部分の絵柄の形状が、被写体が人物の場合におけるキャッチアイ効果を考慮した所定形状になっている画像の一例を示す図である。
【図８】本撮影時の露光期間中に図７の画像が図１の撮像装置に表示された場合に得られる撮像画像の一例を示している。
【図９】図１の撮像装置に表示される所定の絵柄の画像として、当該画像の明るい部分の絵柄の位置が、被写体の種類や状態に応じて変化する画像の一例を示している。
【図１０】図４の機能的構成を有する画像処理装置が実行する、撮像記録指示による撮像処理の第２の例の流れを説明するフローチャートである。
【発明を実施するための形態】
【００１１】
以下、本発明の一実施形態を図面に基づいて説明する。
【００１２】
［第１実施形態］
図１は、本発明の第１実施形態に係る撮像装置の外観構成を示す平面図である。
詳しくは、図１（Ａ）は、撮像面と表示面とを対向する面にそれぞれ配置させた場合の撮像装置の外観構成を示す平面図である。
図１（Ｂ）は、撮像面と表示面とを同一面に配置させた場合の撮像装置の外観構成を示す平面図である。
【００１３】
撮像装置１は、例えばデジタルカメラにより構成され、ユーザによるシャッタタイミングを指示する所定の操作に基づいて、当該ユーザを被写体として撮像して、その結果得られる画像（以下、「撮像画像」と呼ぶ）のデータを記録するまでの一連の処理を実行することができる。
このように、撮像画像のデータの記録は、ユーザの所定の操作がトリガとなって行われる。そこで、以下、このような記録のトリガとなる操作を、「撮像記録指示」と呼ぶ。そして、撮像記録指示に基づくこのような一連の処理を、以下、「撮像記録指示による撮像処理」と呼ぶ。
【００１４】
撮像装置１は、撮像記録指示による撮像処理を実行すべく、カメラ本体１１と、表示部本体１２と、フレーム本体１３と、を備えている。
カメラ本体１１は、平面形状五角形の短柱状に形成され、図１（Ａ）に示すように、カメラ本体１１の裏面は、平坦に形成され、図１（Ｂ）に示すように、カメラ本体１１の表面は、撮像部２２の撮像面（撮像レンズ側の面）が配置されている。即ち、カメラ本体１１は、撮像部２２を内蔵する筐体である。
カメラ本体１１は、貫通して配置された回動軸Ａを回動中心として表示部本体１２に対し回動可能に軸支される。
また、カメラ本体１１は、回動軸Ａに対し直交方向に配置され貫通して配置された回動軸Ｂを回動中心としてフレーム本体１３に対し回動可能に軸支される。
より具体的には、カメラ本体１１は、カメラ本体１１の五角形の外形のうちの一の辺を表示部本体１２に摺接しながら、回動軸Ａを中心として回動し得るように構成される。
【００１５】
なお、以下、撮像装置１のうち、カメラ本体１１が設置されている側（図１の左側）を「カメラ側」と呼び、表示部本体１２が設置されている側（図１の右側、即ち、特にカメラ本体１１に対向する側と反対側）を「表示部側」と呼ぶ。
【００１６】
表示部本体１２は、平面形状略矩形に形成され、その表面の中央には矩形状の表示部２１の表示面が配置されている。即ち、表示部本体１２は、表示部２１を内蔵する筐体である。
【００１７】
フレーム本体１３は、底辺と、該底辺部の両端において該底辺部に対し略直交方向に延設された平行する２本の腕と、により平面形状略コ字状に形成されている。
フレーム本体１３の底辺は、フレーム本体１３を構成する２本の腕が延設されている方向とは逆方向（表示部側）にＶ字状に突出して形成されている。
【００１８】
フレーム本体１３は、カメラ本体１１と、回動軸Ｂを回動中心として回動可能に接続されている。換言すると、カメラ本体１１は、フレーム本体１３の２本の腕の先端間に配置された回動軸Ｂを回動中心として、回動可能に軸支される。
従って、カメラ本体１１は、その五角形の外形のうち対向する２辺をフレーム本体１３の２本の腕に当接した状態でフレーム本体１３と軸支している。このため、カメラ本体１１は、該対向する２辺をフレーム本体１３の２本の腕にそれぞれ摺接させながら回動することができる。
【００１９】
このように、カメラ本体１１は、フレーム本体１３に対し回動可能に軸支されているため、撮像部２２の撮像面が配置されている表面の向きを自在に変えることができる。即ち、ユーザは、カメラ本体１１を回動させることで、図１（Ａ）に示すように撮像部２２の撮像面を紙面に対し奥側に配置させたり、図１（Ｂ）に示すように撮像部２２の撮像面を紙面に対し手前側に配置させることができる。
従って、ユーザは、被写体が奥側に存在する場合には、回動軸Ｂを中心としてカメラ本体１１を回動して図１（Ａ）の状態することで、奥側の被写体を撮像部２２に撮像させることができる。
これに対して、ユーザは、自己を被写体として撮像する（以下、適宜「自分撮り」と呼ぶ）場合等、被写体が手前側に存在する場合には、回動軸Ｂを中心としてカメラ本体１１を回動して図１（Ｂ）の状態にすることで、手前側の被写体を撮像部２２に撮像させることができる。
【００２０】
図２は、机上等に立設された撮像装置１の外観構成を示す斜視図である。
ユーザＵは、自分撮りをする場合等には、先ず、図２に示すように、表示部２１による表示方向と撮像部２２による撮像方向とを略一致させた状態で、カメラ本体１１とフレーム本体１３とが所定角度拡開するように変形した状態の撮像装置１を、机上等に立設させる。
ここで、表示部２１による表示方向とは、表示部２１の表示面の法線の方向であって、当該表示面から光（各画素から発光される光）が射出される方向をいう。撮像部２２による撮像方向とは、撮像部２２の撮像面の法線の方向（即ち光軸の方向）であって、当該撮像面から被写体に向かう方向をいう。
【００２１】
このように、フレーム本体１３を構成する突出したＶ字状の底辺の先端と、表示部本体１２の端部とが、本実施形態の撮像装置１における台座として機能する。この台座が机上の面に当接され、フレーム本体１３と表示部本体１２とが回動軸Ｂを介して互いに軸支されることにより、撮像装置１は机上等に立設する。
ユーザＵは、このように撮像装置１を机上等に立設させると、次に、撮像部２２の撮像面と対向し、表示部２１全体を視認できる程度まで離間した位置に移動する。
すると、図２に示すように、ユーザＵが撮像部２２により逐次撮像され、そのライブビュー画像ＧＵが表示部２１に表示される。
【００２２】
ここで、ライブビュー画像ＧＵについて説明する。
撮像装置１は、先ず、撮像部２２による被写体（図２の例ではユーザＵ）の撮像動作を継続させる。そして、撮像装置１は、撮像部２２による被写体の撮像動作が継続されている間、当該撮像部２２から順次出力される撮像画像（フレーム）のデータを、メモリ（本実施形態では後述の図３の記憶部４８）に一時的に記憶させる。このような一連の制御処理を、以下「ライブビュー撮像処理」と呼ぶ。
また、撮像装置１は、ライブビュー撮像処理時にメモリに一時的に記録された各データを順次読み出して、各々に対応する撮像画像（フレーム）を表示部２１に順次表示させる。このような一連の制御処理を、以下「ライブビュー表示処理」と呼ぶ。
このようなライブビュー撮像処理及びライブビュー表示処理の結果として、表示部２１に表示される撮像画像が、ライブビュー画像ＧＵである。
【００２３】
ユーザＵは、このようなライブビュー画像ＧＵを見ながら、シャッタイミングをはかる。そして、ユーザは、所望のシャッタタイミングで撮像記録指示を出す。
撮像装置１は、撮像記録指示の直後に撮像部２２から出力された撮像画像（フレーム）のデータを、保存用のメモリ（本実施形態では後述の図３のリムーバブルメディア６１）に記録させる。
なお、撮像記録指示がなされた後の撮像装置１の撮影の動作、即ち保存用の撮影の動作を、ライブビュー画像の撮影の時と明確に区別すべく、以下、「本撮影」と呼ぶ。
【００２４】
ここで、本実施形態では、表示部２１として液晶型表示装置が採用されており、その背面（表示面との対向面）にはバックライト（本実施形態では後述の図３のバックライト部５１）が配置されている。このバックライトの輝度（明るさ）の設定は自在に調整可能となっている。
そこで本実施形態では、撮像装置１は、本撮影前（撮像記録指示がなされる前）には、バックライトの輝度を、従来通り、ファインダとして適した輝度に設定して、ライブビュー画像を表示部２１に表示させる。
一方、撮像装置１は、撮像記録指示がなされた後の本撮影時の露光期間では、バックライトの輝度を高めに設定する。
ここで、本撮影時の露光期間中のバックライトの輝度を高めにする目的は、本撮影時においては、被写体たる人物の顔を明るくして、当該顔から影を無くしたり、顔の染みや皺を目立たなくすることである。このため、撮像装置１は、キセノンフラッシュのような大光量が発光される程の非常に高い輝度を設定する必要は無く、通常のモニタ向けの輝度と比較して明るくなる程度の輝度を設定すればよい。
また、高めの輝度が設定される期間は、あまりに長めの期間であると被写体にまぶしいと感じさせてしまうため、明るくなった顔（影取りをされた顔）が保存用の撮像画像に写り込む期間であれば足りる。このため本実施形態では、上述したように、本撮影時の露光期間のみ、輝度が高めに設定される。
本実施形態では、このようにして、撮像記録指示による撮像処理が撮像装置１により実行される。
【００２５】
図３は、このような撮像記録指示による撮像処理を実行可能な撮像装置１のハードウェアの構成を示すブロック図である。
【００２６】
撮像装置１は、上述した表示部２１及び撮像部２２に加えてさらに、ＣＰＵ（Ｃｅｎｔｒａｌ  Ｐｒｏｃｅｓｓｉｎｇ  Ｕｎｉｔ）４１と、ＲＯＭ（Ｒｅａｄ  Ｏｎｌｙ  Ｍｅｍｏｒｙ）４２と、ＲＡＭ（Ｒａｎｄｏｍ  Ａｃｃｅｓｓ  Ｍｅｍｏｒｙ）４３と、画像処理部４４と、バス４５と、入出力インターフェース４６と、操作部４７と、記憶部４８と、通信部４９と、ドライブ５０と、バックライト部５１とを備えている。
【００２７】
ＣＰＵ４１は、ＲＯＭ４２に記録されているプログラム、又は、記憶部４８からＲＡＭ４３にロードされたプログラムに従って各種の処理を実行する。
【００２８】
ＲＡＭ４３には、ＣＰＵ４１が各種の処理を実行する上において必要なデータ等も適宜記憶される。
【００２９】
画像処理部４４は、ＤＳＰ（Ｄｉｇｉｔａｌ  Ｓｉｇｎａｌ  Ｐｒｏｃｅｓｓｏｒ）や、ＶＲＡＭ（Ｖｉｄｅｏ  Ｒａｎｄｏｍ  Ａｃｃｅｓｓ  Ｍｅｍｏｒｙ）等から構成されており、ＣＰＵ４１と協働して、画像のデータに対して各種画像処理を施す。
例えば、画像処理部４４は、撮像部２２から出力される撮像画像のデータに対して、ノイズ低減、ホワイトバランスの調整、手ぶれ補正等の画像処理を施す。
【００３０】
ＣＰＵ４１、ＲＯＭ４２、ＲＡＭ４３、及び画像処理部４４は、バス４５を介して相互に接続されている。このバス４５にはまた、入出力インターフェース４６も接続されている。入出力インターフェース４６には、表示部２１、撮像部２２、操作部４７、記憶部４８、通信部４９、ドライブ５０、及びバックライト部５１が接続されている。
【００３１】
表示部２１は、本実施形態では、撮像画像を含め各種画像を表示可能な液晶型表示装置により構成される。
【００３２】
撮像部２２は、図示はしないが、光学レンズ部と、イメージセンサと、を備えている。
【００３３】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００３４】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部２２の出力信号として出力される。
このような撮像部２２の出力信号が、撮像画像のデータであり、ＣＰＵ４１や画像処理部４４等に適宜供給される。
【００３５】
操作部４７は、例えば、図示せぬレリーズ釦等の各種釦により構成され、ユーザの指示操作を受け付ける。
記憶部４８は、ＤＲＡＭ（Ｄｙｎａｍｉｃ  Ｒａｎｄｏｍ  Ａｃｃｅｓｓ  Ｍｅｍｏｒｙ）等で構成され、ライブビュー画像等の各種画像のデータを記憶する。
通信部４９は、インターネットを含むネットワークを介して他の装置との間で行う通信を制御する。
【００３６】
ドライブ５０には、磁気ディスク、光ディスク、光磁気ディスク、或いは半導体メモリ等よりなる、リムーバブルメディア６１が適宜装着される。ドライブ５０によってリムーバブルメディア６１から読み出されたプログラムは、必要に応じて記憶部４８にインストールされる。また、リムーバブルメディア６１は、記憶部４８に記憶されている画像のデータ等の各種データも、記憶部４８と同様に記憶することができる。
なお、本撮影時の撮像画像のデータは、記憶部４８に当然記憶され得るが、ライブビュー画像のデータの一次的な記憶と明確に区別すべく、本実施形態ではリムーバブルメディア６１に記憶されるものとする。
【００３７】
バックライト部５１は、例えば本実施形態では、ＬＥＤ（Ｌｉｇｈｔ  Ｅｍｉｔｔｉｎｇ  Ｄｉｏｄｅ）を光源として、導光板を介して表示部２１の液晶を背面から照明する。
バックライト部５１からの光の輝度は、上述したように、自在に可変設定ができるものとされている。
なお、バックライト部５１は、光の輝度が可変設定できるものであれば足り、光源もＬＥＤに限定されずその他冷極陰管が採用されてもよいし、また、方式もエッジライト方式に限定されずその他直下型方式が採用されてもよい。
ただし、本実施形態では、バックライト部５１の光源として、ＲＧＢの各ＬＥＤが採用されおり、バックライト部５１からの光の輝度に加えてさらに、色合いも自在に可変設定ができるものとされている。
【００３８】
図４は、このようなハードウェア構成の撮像装置１が有する機能のうち、撮像記録指示による撮像処理の実行機能を発揮させる機能的構成を示す機能ブロック図である。
【００３９】
撮像記録指示による撮像処理が実行される場合、ＣＰＵ４１においては、主制御部７１と、撮像制御部７２と、表示制御部７３と、記録制御部７４と、射出光制御部７５とが機能する。
【００４０】
主制御部７１は、撮像装置１全体の動作、特に撮像記録指示による撮像処理の実行時の動作を制御する。
撮像制御部７２は、撮像部２２による撮像の動作を制御する。即ち、撮像部２２は、撮像制御部７２の制御に基づいて、被写体を撮像（露光）して、その撮像画像のデータを出力する。
表示制御部７３は、ライブビュー画像を含む各種画像を表示部２１に表示させる制御を実行する。
記録制御部７４は、撮像記録指示がなされると機能し、当該撮像記録指示の後に撮像部２２から出力された撮像画像のデータ、即ち本撮影時の撮像画像のデータを、保存用のデータとしてリムーバブルメディア６１に記録させる制御を実行する。
【００４１】
射出光制御部７５は、表示部２１の表示方向と撮像部２２の撮像方向とが略一致した状態（例えば図２の状態）で撮像部２２による撮像の動作が実行される場合、表示部２１からの射出光が被写体の撮影状態に与える影響を考慮して、表示部２１に表示される画像の表示内容と表示状態とのうち少なくとも一方を制御する。
即ち、表示部２１は、バックライト部５１からの光に基づいて、画素単位で光を射出することにより画像を表示する。即ち、各画素毎の射出光は、ユーザの目に入射されて脳内で画像として認識されると共に、当該ユーザ（自分撮りの場合には被写体）の顔等を照射する。換言すると、表示部２１は、画像の表示機能に加えて、被写体の照明機能（補助光の照射機能）も有している。なお、表示部２１からの射出光を、被写体の照明機能の観点からみるときには、「照射光」と適宜呼ぶ。
また、被写体の撮影状態とは、撮影時の被写体の周囲の環境に応じて変化する各種各様の状態をいい、例えば被写体が人物である場合には、当該人物の周囲の環境に応じて生じる顔の陰影、濃淡、色合いの状態等が該当する。
即ち、表示部２１からの照射光が被写体の撮影状態に与える影響としては、例えば、照射光の明るさ（輝度）に応じて、被写体たる人物の顔に陰ができたり、その陰が消えるといった影響や、顔の染みや皺の目立ちやすさに対する影響が存在する。
また、表示部２１に表示される画像の表示状態とは、当該画像の輝度や色合いの状態をいう。即ち、本撮影時の露光期間において、被写体たる人物の顔の陰を無くすべく、バックライト部５１の輝度を高めに設定することは、表示部２１からの照射光が被写体の撮影状態に与える影響を考慮して、表示部２１に表示される画像の表示状態を制御することの一例に該当する。
【００４２】
より具体的には、射出光制御部７５は、図４に示すように、バックライト制御部８１と、表示内容制御部８２とを備えている。
【００４３】
バックライト制御部８１は、表示部２１からの照射光が被写体の撮影状態に与える影響を考慮して、表示部２１に表示される画像の表示状態を制御すべく、バックライト部５１の設定を制御する。
ここで、バックライト部５１の設定としては、上述したように、主に輝度の設定がある。さらに本実施形態では、バックライト部５１の光源として、ＲＧＢの各ＬＥＤが採用されている。従って、色合いの設定も、バックライト部５１の設定に含まれる。即ち本実施形態では、バックライト制御部８１は、バックライト部５１の設定として、輝度と色合いの可変設定を相互に独立して自在に行うことができる。
例えば、バックライト制御部８１は、本撮影時の露光期間中には、表示部２１に表示される画像の色合いを、被写体の種別に応じた色合いにすべく、バックライト部５１の色合いを設定することができる。
具体的には例えば、バックライト制御部８１は、被写体が人物の場合には、本撮影時の露光期間中には、表示部２１に表示される画像の色合いを、より赤みのある色合いにすべく、バックライト部５１の色合いを設定することができる。これにより、本撮影時には、人物の顔はより赤みのある色合いで照明されるので、血色の良い健康的な顔が写った撮像画像のデータが、保存用のデータとしてリムーバブルメディア６１に記録される。
【００４４】
表示内容制御部８２は、表示部２１からの照射光が被写体の撮影状態に与える影響を考慮して、表示部２１に表示される画像の表示内容を制御する。
例えば、表示内容制御部８２は、表示部２１に表示される画像の表示内容を、本撮影時の露光期間の前にはライブビュー画像とし、本撮影時の露光期間中には、表示部２１からの照射光が被写体の撮影状態に所定の影響を与えるような所定の表示内容とするように制御することができる。
ここで、表示部２１からの照射光が被写体の撮影状態に所定の影響を与えるような所定の表示内容としては、例えば全画素が白色となる画像（以下、「全白画像」と呼ぶ）を採用することができる。本撮影時の露光期間中は表示部２１からの照射光の輝度が高くなるようにバックライト部５１の輝度が設定されるが、バックライト部５１からの光の輝度が一定ならば、表示部２１の表示内容が全白画像の場合の方が、他の場合（ライブビュー画像の場合等）と比較して、表示部２１からの照射光の輝度が高くなるからである。即ち、表示部２１の表示内容が全白画像の場合の方が、被写体たる人物の顔から陰をより消しやすくなるからである。
【００４５】
次に、かかる図４の機能的構成を有する撮像装置１の動作について説明する。
具体的には、先ず、図５のタイミングチャートを参照して撮像装置１の動作の概略を説明した後、図６のフローチャートを参照して、撮像装置１の動作の詳細として、撮像記録指示による撮像処理について説明する。
【００４６】
図５は、図４の機能的構成を有する画像処理装置１の動作の概略を説明するタイミングチャートである。
詳細には、同図中上から順に、画像フレーム、ＲＥＣ状態、液晶表示、バックライト輝度の各々についてのタイミングチャートが示されている。
画像フレームのタイミングチャートは、１枚のフレームが撮像されるタイミングを示している。図５の例では、時刻ｔ１乃至ｔ７の各々のタイミングで、１枚のフレームの撮像（露光）が開始され、次のフレームの撮像の開始までの間に、撮像画像のデータが出力されて、必要に応じて、当該撮像画像がライブビュー画像として表示部２１に表示される。
ＲＥＣ状態のタイミングチャートは、保存用の撮像画像のデータの記録有無等の状態の推移を示している。図５の例では、撮像画像のデータは保存用としては記録されずにライブビュー画像として表示のみされる状態（以下、「ライブビューの状態」と呼ぶ）、本撮影が行われて撮像画像のデータが出力されるまでの状態（露光期間を含む状態）、及び、本撮影時の撮像画像のデータに対して各種画像処理が施されている状態（以下、「本撮影時の画像処理の状態」と呼ぶ）がＲＥＣ状態として採用されている。
液晶表示のタイミングチャートは、表示部２１に表示される画像の表示内容の設定の推移を示している。
バックライト輝度のタイミングチャートは、バックライト部５１の輝度の設定の推移を示している。
【００４７】
図５において、時刻ｔ１乃至時刻ｔ３の間は、撮像記録指示がなされる前、即ち本撮影前の段階であるので、バックライト部５１に対しては中輝度（ファインダ機能向けの輝度、即ち画像再生表示に適した輝度）が設定され、表示部２１の表示内容としてはライブビュー画像が設定される。
図５の例では、時刻ｔ３（より正確には時刻ｔ３の直前）に撮像記録指示がなされている。これにより、バックライト部５１に対しては高輝度が設定され、表示部２１の表示内容としては全白色画像が設定される。なお、この期間の表示部２１の表示内容としては、本実施形態では全白色画像が設定されるが、第２実施形態等で後述するように、全白色画像が設定されることは必須でなく、各種各様の絵柄画像が設定され得る。
バックライト部５１に対する高輝度の設定は、上述したように、本撮影期間の露光期間のみとされる。当該露光期間が終了すると、本撮影時の画像処理の状態に遷移していくため、バックライト部５１に対する輝度の設定は高輝度から低輝度（消灯含む）に切り替わる。
なお、時刻ｔ４は本来次のフレームの撮像が開始されるタイミングであるが、本撮影時の画像処理の状態に遷移しているため、表示部２１への表示は不要となるため、表示部２１の表示内容としては、停止が設定される。
本撮影時の撮像画像のデータが保存用としてリムーバブルメディア６１に記録された後の、次のフレームの撮像が開始される時刻ｔ５になると、ライブビュー画像の状態に戻るので、時刻ｔ１乃至時刻ｔ３の間と同様に、バックライト部５１に対しては中輝度が設定され、表示部２１の表示内容としてはライブビュー画像が設定される。
【００４８】
次に、図６を参照して、このような図５の撮像装置１の動作の詳細として、第１実施形態に係る撮像記録指示による撮像処理について説明する。
図６は、図４の機能的構成を有する画像処理装置１が実行する、第１実施形態に係る撮像記録指示による撮像処理の流れを説明するフローチャートである。
なお、図６の例では、撮像装置１の動作モードとして、被写体を撮影する撮影モードと、各種画像を再生する再生モードとが存在するものとされている。そして、これらの撮影モードと再生モードは、操作部４７に対する所定の操作により自在に切り替えが可能とされている。
第１実施形態に係る撮像記録指示による撮像処理は、例えば撮像装置１の電源が投入されて所定の条件を満たすと開始され、次のような一連の処理が実行される。
【００４９】
ステップＳ１において、図４の主制御部７１は、動作モードは撮影モードか否かを判定する。
【００５０】
動作モードが再生モードの場合、ステップＳ１においてＮＯであると判定されて、処理はステップＳ２に進む。
ステップＳ２において、表示内容制御部８２は、表示部２１の表示内容を、再生対象となる画像とする。
ステップＳ３において、バックライト制御部８１は、表示部２１のバックライト輝度（バックライト部５１の輝度）を、画像再生表示に適した輝度（中輝度）に設定する。
ステップＳ４において、バックライト制御部８１は、表示部２１のバックライト色（バックライト部５１の色合い）を、画像再生表示に適した色合い（白）に設定する。なお、表示内容制御部８２は、バックライト制御部８１と共に又は代えて、表示対象の画像のデータに対する画像補正の色合いを、画像再生表示に適した色合い（白）に設定してもよい。
ステップＳ５において、表示制御部７３は、再生対象として指定された画像を表示部２１に表示させる。
これにより、処理はステップＳ１に戻され、それ以降の処理が繰り返される。
【００５１】
以上、動作モードが再生モードの場合に実行される一連の処理について説明した。
次に、動作モードが撮影モードの場合に実行される一連の処理について説明する。
【００５２】
動作モードが再生モードの場合、ステップＳ１においてＹＥＳであると判定されて、処理はステップＳ６に進む。
ステップＳ６において、表示内容制御部８２は、表示部２１の表示内容を、ライブビュー画像とする。
ステップＳ７において、バックライト制御部８１は、表示部２１のバックライト輝度（バックライト部５１の輝度）を、画像再生表示に適した輝度（中輝度）に設定する。
ステップＳ８において、バックライト制御部８１は、表示部２１のバックライト色（バックライト部５１の色合い）を、画像再生表示に適した色合い（白）に設定する。なお、表示内容制御部８２は、バックライト制御部８１と共に又は代えて、ライブビュー画像のデータに対する画像補正の色合いを、画像再生表示に適した色合い（白）に設定してもよい。
表示制御部７３がライブビュー画像を表示部２１に表示させると、処理はステップＳ９に進む。
【００５３】
ステップＳ９において、主制御部７１は、撮像記録指示があったか否かを判定する。
撮像記録指示がなされていない場合、ステップＳ９においてＮＯであると判定されて、処理は再びステップＳ９に戻される。即ち、撮像記録指示がなされるまでの間、ステップＳ９の判定処理が繰り返し実行されて、撮像記録指示による撮像処理は待機状態となる。
撮像記録指示がなされると、ステップＳ９においてＹＥＳであると判定されて、処理はステップＳ１０に進む。
【００５４】
ステップＳ１０において、主制御部７１は、表示部２１の表示方向と撮像部２２の撮像方向とが一致するか否か、即ち自分撮りが行われるか否かを判定する。
【００５５】
表示方向と撮像方向とが一致しない場合、即ち自分撮りが行われず、ユーザ（撮影者）以外が被写体となった撮影が行われる場合、表示部２１に表示される画像の表示内容と表示状態との何れの制御も不要であるので、ステップＳ１０においてＮＯであると判定されて、処理はステップＳ１５に進み、通常の撮像動作（露光）が行われる。なお、ステップＳ１５以降の処理については後述する。
【００５６】
これに対して、表示方向と撮像方向とが一致する場合、即ち自分撮りが行われる場合、表示部２１に表示される画像の表示内容と表示状態とのうち少なくとも一方の制御が必要になるので、ステップＳ１０においてＹＥＳであると判定されて、処理はステップＳ１１に進み、次のような一連の処理が実行される。
ステップＳ１１において、バックライト制御部８１は、表示部２１のバックライト輝度（バックライト部５１の輝度）を、被写体の撮影に適した照射光を与える輝度（高輝度）に設定する。
ステップＳ１２において、バックライト制御部８１は、表示部２１のバックライト色（バックライト部５１の色合い）を、被写体の撮影に適した照射光を与える色合い（赤み色）に設定する。なお、表示内容制御部８２は、バックライト制御部８１と共に又は代えて、撮像画像のデータに対する画像補正の色合いを、被写体の撮影に適した照射光を与える色合い（赤み色）に設定してもよい。
【００５７】
ステップＳ１３において、主制御部７１は、ライブビュー表示を優先させるか否か、即ち明るさ優先では無いか否かを判定する。
【００５８】
ライブビュー表示を優先させる場合、即ち、被写体への照射光の明るさを特に優先させなくてよい場合、ステップＳ１３においてＹＥＳであると判定されて、処理はステップＳ１５に進み、ライブビュー画像が表示部２１に表示された状態（ただし高輝度かつ赤み色で表示された状態）で、撮像動作（露光）が行われる。なお、ステップＳ１５以降の処理については後述する。
【００５９】
ライブビュー表示を優先させない場合、即ち、被写体への照射光の明るさを特に優先させる場合、ステップＳ１３においてＮＯであると判定されて、処理はステップＳ１４に進む。
ステップＳ１４において、表示内容制御部８２は、表示部２１の表示内容を、全白画像とする。
この場合、ステップＳ１５において、撮像制御部７２は、全白画像が表示部２１に表示された状態（さらに高輝度かつ赤み色で表示された状態）で、撮像部２２に撮像動作（露光）をさせる。
このようにして、ステップＳ１４の処理後の他、ステップＳ１０においてＮＯであると判定された後又はステップＳ１３においてＹＥＳであると判定された後に、ステップＳ１５の処理で本撮影が行われることになる。
本撮影時の露光期間が終了すると、処理はステップＳ１６に進む。
ステップＳ１６において、バックライト制御部８１は、表示部２１のバックライト輝度（バックライト部５１の輝度）を、撮影完了を示す輝度（低輝度であって、消灯含む）に設定する。
ステップＳ１７において、記録制御部７４は、本撮影時の撮像画像のデータを保存用としてリムーバブルメディア６１に記録させる。
【００６０】
ステップＳ１８において、主制御部７１は、処理の終了が指示されたか否かを判定する。
処理の終了が未だ指示されていない場合、ステップＳ１８においてＮＯであると判定されて、処理はステップＳ１に戻され、それ以降の処理が繰り返し実行される。
これに対して、処理の終了が指示された場合、ステップＳ１８においてＹＥＳであると判定されて、第１実施形態に係る撮像記録指示による撮像処理は終了となる。
【００６１】
以上、第１実施形態について説明した。次に、第２実施形態について説明する。
【００６２】
［第２実施形態］
第２実施形態に係る撮像装置１は、第１実施形態に係るものと基本的に同様のハードウェア構成を取ることができる。従って、図３は、第２実施形態に係る画像処理装置１のハードウェアの構成を示すブロック図でもある。
また、第２実施形態に係る撮像装置１は、第１実施形態に係るものと基本的に同様の機能的構成を取ることができる。従って、図４は、第２実施形態に係る画像処理装置１の機能的構成を示す機能ブロック図でもある。
このため、ここでは、図３と図４の説明及び第１実施形態と同様な個所については説明を省略し、以下、第１実施形態とは異なる点についてのみ説明する。
【００６３】
上述した第１実施形態では、自分撮り等が実行される場合、表示部２１からの照射光が被写体の撮影状態に与える影響を考慮した、表示部２１に表示される画像の表示内容の制御として、ライブビュー画像の代わりに全白画像が表示される制御が実行された。
これに対して、第２実施形態では、自分撮り等が実行される場合、表示部２１からの照射光が被写体の撮影状態に与える影響を考慮した、表示部２１に表示される画像の表示内容の制御として、ライブビュー画像の代わりに、所定の絵柄の画像が表示される制御が実行される。
所定の絵柄自体は、特に限定されず、各種各様なものを採用することができる。ここでは、図７乃至図９を参照して、２つの絵柄の具体例について説明する。
【００６４】
図７は、表示部２１に表示される所定の絵柄の画像として、当該画像の明るい部分の絵柄の形状が、被写体が人物の場合におけるキャッチアイ効果を考慮した所定形状になっている画像の一例を示している。
図７の例の所定の絵柄の画像Ｍ１は、画像の明るい部分（白色の絵柄部分）を形成させるために、それ以外は遮光マスクが施されており、当該明るい部分の形状がいわゆるハート形の形状になっている。
図８は、本撮影時の露光期間中に図７の画像Ｍ１が表示部２１に表示された場合に得られる撮像画像の一例を示している。
本撮影時の露光期間中に図７の画像Ｍ１が表示部２１に表示されると、図８に示すように、図７の画像Ｍ１の明るい部分の形状（所定の絵柄）、即ちハート形の形状が被写体（人物）の瞳に写り込んだ撮像画像Ｇ１が得られる。
このように、撮像装置１が、本撮影時の露光期間中に所定の絵柄の画像を表示することによって、当該所定の絵柄が被写体に照射される。被写体が人物である場合には、当該人物の瞳に所定の絵柄が写り込むことになり、いわゆるキャッチアイ（キャッチライト）効果が実現可能になる。その結果、ビューティ機能の効果がより一段と得られることになる。
【００６５】
図９は、表示部２１に表示される所定の絵柄の画像として、当該画像の明るい部分の絵柄の位置が、被写体の種類や状態に応じて変化する画像の一例を示している。
図９に示すように、所定の絵柄の画像として、時間の経過順に画像Ｆａ，Ｆｂ，Ｆｃ，Ｆｄの各々がその順番で表示部２１に順次表示される。画像Ｆａ，Ｆｂ，Ｆｃ，Ｆｄの各々は、画像の明るい部分（白色の絵柄部分）を形成させるために、それ以外は半透過マスクが施されており、当該明るい部分の絵柄（照射絵柄）がいわゆる菱形の形状になっている。この菱形の絵柄（照射絵柄）の位置が、画像Ｆａ，Ｆｂ，Ｆｃ，Ｆｄの各々において異なっている（絵柄自体が含まれない場合も含む）。
図示はしないが、連写又は動画像についての本撮影時の露光期間中に、図９の画像Ｆａ，Ｆｂ，Ｆｃ，Ｆｄの各々がその順番で順次表示されると、被写体（人物）の瞳に写り込む照射絵柄が時間と共に変化するので、特徴のある自分撮りが可能になる。
【００６６】
次に、図１０を参照して、このような第２実施形態の撮像装置１の動作の詳細として、第２実施形態に係る撮像記録指示による撮像処理について説明する。
図１０は、図４の機能的構成を有する画像処理装置１が実行する、第２実施形態に係る撮像記録指示による撮像処理の流れを説明するフローチャートである。
第２実施形態に係る撮像記録指示による撮像処理は、例えば撮像装置１の電源が投入されて所定の条件を満たすと開始され、第１実施形態と同様にステップＳ１乃至Ｓ８の処理（図６参照）が実行された後、次のような一連の処理が実行される。
【００６７】
ステップＳ４１において、主制御部７１は、撮像記録指示があったか否かを判定する。
撮像記録指示がなされていない場合、ステップＳ４１においてＮＯであると判定されて、処理は再びステップＳ４１に戻される。即ち、撮像記録指示がなされるまでの間、ステップＳ４１の判定処理が繰り返し実行されて、撮像記録指示による撮像処理は待機状態となる。
撮像記録指示がなされると、ステップＳ４１においてＹＥＳであると判定されて、処理はステップＳ４２に進む。
【００６８】
ステップＳ４２において、主制御部７１は、表示部２１の表示方向と撮像部２２の撮像方向とが一致するか否か、即ち自分撮りが行われるか否かを判定する。
【００６９】
表示方向と撮像方向とが一致しない場合、即ち自分撮りが行われず、ユーザ（撮影者）以外が被写体となった撮影が行われる場合、表示部２１に表示される画像の表示内容と表示状態との何れの制御も不要であるので、ステップＳ４２においてＮＯであると判定されて、処理はステップＳ４８に進み、通常の撮像動作（露光）が行われる。なお、ステップＳ４８以降の処理については後述する。
【００７０】
これに対して、表示方向と撮像方向とが一致する場合、即ち自分撮りが行われる場合、表示部２１に表示される画像の表示内容と表示状態とのうち少なくとも一方の制御が必要になるので、ステップＳ４２においてＹＥＳであると判定されて、処理はステップＳ４３に進み、次のような一連の処理が実行される。
【００７１】
ステップＳ４３において、バックライト制御部８１は、表示部２１のバックライト輝度（バックライト部５１の輝度）を、被写体の撮影に適した照射光を与える輝度（高輝度）に設定する。
ステップＳ４４において、主制御部７１は、キャッチアイ効果を優先するか否か、即ち明るさ優先では無いか否かを判定する。
【００７２】
キャッチアイ効果を優先しない場合、即ち明るさ優先の可能性がある場合、ステップＳ４４においてＮＯであると判定されて、処理はステップＳ４５に進む。
ステップＳ４５において、バックライト制御部８１は、表示部２１のバックライト色（バックライト部５１の色合い）を、被写体の撮影に適した照射光を与える色合い（赤み色）に設定する。なお、表示内容制御部８２は、バックライト制御部８１と共に又は代えて、撮像画像のデータに対する画像補正の色合いを、被写体の撮影に適した照射光を与える色合い（赤み色）に設定してもよい。
【００７３】
ステップＳ４６において、主制御部７１は、ライブビュー表示を優先させるか否か、即ち明るさ優先では無いか否かを判定する。
【００７４】
ライブビュー表示を優先させる場合、即ち、被写体への照射光の明るさを特に優先させなくてよい場合、ステップＳ４６においてＹＥＳであると判定されて、処理はステップＳ４８に進み、ライブビュー画像が表示部２１に表示された状態（ただし高輝度かつ赤み色で表示された状態）で、撮像動作（露光）が行われる。なお、ステップＳ４８以降の処理については後述する。
【００７５】
ライブビュー表示を優先させる場合、即ち、被写体への照射光の明るさを特に優先させる場合、ステップＳ４６においてＮＯであると判定されて、処理はステップＳ４７に進む。
ステップＳ４７において、表示内容制御部８２は、表示部２１の表示内容を、全白画像とする。
この場合、ステップＳ４８において、撮像制御部７２は、全白画像が表示部２１に表示された状態（さらに高輝度かつ赤み色で表示された状態）で、撮像部２２に撮像動作（露光）をさせる。
このようにして、ステップＳ４７の処理後の他、ステップＳ４２においてＮＯであると判定された後又はステップＳ４６においてＹＥＳであると判定された後に、ステップＳ４８の処理で本撮影が行われることになる。なお、この場合の本撮影については、連写又は動画像であれば複数回行われることになる。
本撮影時の露光期間が終了すると、処理はステップＳ５４に進む。
ステップＳ５４において、バックライト制御部８１は、表示部２１のバックライト輝度（バックライト部５１の輝度）を、撮影完了を示す輝度（低輝度であって、消灯含む）に設定する。
ステップＳ５５において、記録制御部７４は、本撮影時の撮像画像のデータを保存用としてリムーバブルメディア６１に記録させる。
【００７６】
ステップＳ５６において、主制御部７１は、処理の終了が指示されたか否かを判定する。
処理の終了が未だ指示されていない場合、ステップＳ５６においてＮＯであると判定されて、処理はステップＳ１（図６）に戻され、それ以降の処理が繰り返し実行される。
これに対して、処理の終了が指示された場合、ステップＳ５６においてＹＥＳであると判定されて、第２実施形態に係る撮像記録指示による撮像処理は終了となる。
【００７７】
以上、キャッチアイ効果を優先させないため、ステップＳ４４においてＮＯであると判定された後の一連の処理について説明した。
次に、キャッチアイ効果を優先させる場合、即ち明るさ優先では無い場合の一連の処理について説明する。この場合、ステップＳ４４においてＹＥＳであると判定されて、処理はステップＳ４９に進み、次のような一連の処理が実行される。
【００７８】
ステップＳ４９において、バックライト制御部８１は、表示部２１のバックライト色（バックライト部５１の色合い）を、光源の色温度に近い色合いに設定する。この設定は、オートホワイトバランスの光源判断により行われるので、違和感のない補助光になる。なお、表示内容制御部８２は、バックライト制御部８１と共に又は代えて、撮像画像のデータに対する画像補正の色合いを、光源の色温度に近い色合いに設定してもよい。
ステップＳ５０において、表示内容制御部８２は、表示部２１の表示内容を、所定位置に所定形状の明るい部分（照射絵柄）がある画像とする。
ステップＳ４８において、撮像制御部７２は、所定の絵柄の画像が表示部２１に表示された状態（さらに高輝度かつ光源の色温度に近い色合いで表示された状態）で、撮像部２２に撮像動作（露光）をさせる。即ち、本処理で本撮影が行われることになる。なお、この場合の本撮影については、連写又は動画像であっても１回のみ行われることになる。
ステップＳ５３において、撮像制御部７２は、連写（動画）による継続撮影があるか否かを判定する。
連写（動画）による継続撮影がない場合、ステップＳ５２においてＮＯであると判定されて、本撮影後の後処理としてステップＳ５４以降の処理が実行される。なお、ステップＳ５４以降の処理は上述したので、ここではその説明は省略する。
これに対して、連写（動画）による継続撮影がある場合、ステップＳ５２においてＹＥＳであると判定されて、処理はステップＳ５３に進む。ステップＳ５３において、表示内容制御部８２は、所定形状の明るい部分（照射絵柄）の位置を所定量ずらす。その後、処理はステップＳ５１に戻され、それ以降の処理が繰り返される。
即ち、連写（動画）による継続撮影がある限り、表示部２１に表示される画像における所定形状の明るい部分（照射絵柄）が所定量だけ移動しながら、本撮影が１回ずつ逐次行われる。そして、連写（動画）による継続撮影が終了すると（ないと判断されると）、ステップＳ５２においてＮＯであると判定されて、本撮影後の後処理としてステップＳ５４以降の処理が実行される。なお、ステップＳ５４以降の処理は上述したので、ここではその説明は省略する。
【００７９】
以上説明したように、第１又は第２実施形態の撮像装置１は、表示部２１と、撮像部２２と、射出光制御部７５を備えている。
撮像部２２は、被写体を撮像する。表示部２１は、撮像部２２により撮像される被写体に対して射出光が届く範囲内に設置可能であり、その射出光を用いて画像を表示する。
射出光制御部７５は、表示部２１からの射出光（照射光）が被写体の撮影状態に与える影響を考慮して、撮影時における表示部２１により表示される画像の表示内容と表示状態のうち少なくとも一方を、本撮影時の露光期間とそれ以外とで異ならせる制御を実行する。
このように、撮影者自身が被写体となる自分撮りをする場合等において、被写体をより適正な構図でより美しく撮影する機能が射出光制御部７５に備えられているので、このような射出光制御部７５を備える撮像装置を簡易な構成でかつ容易に実現することが可能になる。
【００８０】
第１又は第２実施形態の撮像装置の射出光制御部７５は、少なくとも本撮影時の露光期間の前には、表示部２１の表示内容をライブビュー画像とする制御を実行することができる。
これにより、ユーザは、本撮影時の前にはライブビュー画像をみながら適切な構図を決めたり、自分撮りの場合には適切なポーズをきめたりすることができるので、ユーザにとってより望ましい撮像画像が得られる。
【００８１】
第１又は第２実施形態の撮像装置の射出光制御部７５は、表示部２１の表示状態を、本撮影時の露光期間の前にはライブビュー画像の視認に適した表示状態とし、本撮影時の露光期間中には被写体の撮影に適した射出光を与える表示状態とする制御を実行することができる。
これにより、本撮影前には、ユーザはライブビュー画像が視認し易くなり、本撮影時には被写体の撮影に適した射出光が被写体に照射されるので、被写体がより美しく撮影される。
【００８２】
第１又は第２実施形態の撮像装置の射出光制御部７５は、本撮影時の露光期間中に、ライブビュー画像を表示したままで、ライブビュー画像の明るさと色合いとのうち少なくとも一方を設定することで、被写体の撮影に適した照射光を与える表示状態とする制御を実行することができる。
これにより、ユーザは、本撮影前のライブビュー画像をみることで、撮影に適した照射光が照射された被写体、即ち撮影される状態の被写体を事前に確認することができる。
【００８３】
第１又は第２実施形態の撮像装置の射出光制御部７５は、本撮影時の露光期間中には、本撮影時の露光期間の前よりも表示部２１のバックライト部５１の輝度を上げる制御を実行することができる。
これにより、本撮影時の露光時には、輝度が挙げられたバックライト部５１からの光が射出光として被写体に照射されるので、被写体が人物の場合には、当該人物の顔が明るくなり影が撮れるため、より美しい人物の顔が写った撮像画像が得られる。
また、撮像画像に写る期間のみ高輝度であればよいため、本撮影時の露光期間のみ高輝度とされている。これにより、被写体が人物の場合、当該人物にとっては、まぶしさを感じるのは瞬間的になるので、当該人物にとって優しい仕様になる。
ここで、バックライト部５１の高輝度化の手法として、ＬＥＤ等の灯数を増やす手法を採用することができる。この場合、ＬＥＤの色温度をオートホワイトバランス判断に連動させることで、ビューティ効果等がさらに顕著なものとなる。
【００８４】
第１又は第２実施形態の撮像装置の射出光制御部７５は、本撮影時の露光期間中には、表示部２１の色合いを、被写体の種別に応じた色合いにする制御を実行することができる。
これにより、被写体の種別に応じた色合いの射出光が、本撮影時の露光期間中に当該被写体に照射されるので、より美しい被写体が写る撮像画像が得られる。
【００８５】
第１又は第２実施形態の撮像装置の射出光制御部７５は、被写体が人物の場合には、本撮影時の露光期間中に、表示部の色合いを、本撮影時の露光期間以外と比較して、より赤みのある色合いにする制御を実行することができる。
これにより、本撮影時の露光期間中に、被写体たる人物に対して赤みのある色合いの射出光が照射されるので、血色の良い顔色（健康的な顔色）となった人物が写る撮像画像が得られる。
【００８６】
第１又は第２実施形態の撮像装置の射出光制御部７５は、表示部２１の表示内容を、本撮影時の露光期間の前にはライブビュー画像とし、本撮影時の露光期間中には、画像が表示された表示部２１からの射出光が被写体の撮影状態に所定の影響を与える所定の表示内容とする制御を実行することができる。
これにより、本撮影時の露光期間中には、表示状態のみならず表示内容についても、画像が表示された表示部２１からの射出光が被写体の撮影状態に所定の影響を与える制御が実行されるので、より一段と美しい被写体が写った撮像画像が得られる。
【００８７】
第２実施形態の撮像装置の射出光制御部７５は、本撮影時の露光期間中には、所定の表示内容として、表示部２１に表示される画像内の相対的に明るい部分の形状を、被写体が人物の場合におけるキャッチアイ効果を考慮した所定の形状にする制御を実行することができる。
これにより、被写体たる人物の目にアイキャッチの絵柄が美的に演出されるようになるので、生き生きした被写体が写った撮像画像が得られる。即ち、ビューティ機能としての効果が顕著になる。
【００８８】
第２実施形態の撮像装置の射出光制御部７５は、本撮影時の露光期間中には、所定の表示内容として、表示部２１に表示される画像内の相対的に明るい部分の位置を、被写体の種類と状態のうち少なくとも一方に応じて変化させる制御を実行することができる。
これにより、瞳の絵柄が変化する人物が被写体として写る動画像や連写の画像群が得られる。即ち、動画像や連写に対するビューティ機能としての効果が顕著になる。
【００８９】
第１又は第２実施形態の撮像装置の射出光制御部７５は、被写体が撮影者自身となる動作モード（自分撮りモード）が設定された場合、表示部２１の表示状態を、人物の撮影に適した射出光を与える表示状態とする制御を実行することができる。
これにより、ユーザは自分撮りモードを選択することで、撮影に適した射出光がユーザ（被写体）に照射されるので、美しい顔のユーザが写る撮像画像が得られる。
【００９０】
第１又は第２実施形態において、表示部２１は、その表示面を撮像方向とその反対方向との間で回動可能であり、撮像装置は、当該表示面が撮像方向に向けられた場合に、被写体が撮影者自身となる動作モードであると判断する主制御部７１をさらに備えている。
これにより、ユーザは、表示部２１の表示面を撮像方向に向ける操作をするだけで、自動的に自分撮りモードに設定されるので、便宜である。
また、自分撮りモードのときには、確実に表示面が被写体である自分の方向に向けられるので、この表示面の表示画像を利用して自分撮りの際の構図を確認すると同時に、この表示面からの射出光を利用して自分の顔をより美しい状態で撮影することを可能とする撮影動作をより確実に実行することができる。
【００９１】
なお、本発明は、上述の実施形態に限定されるものではなく、本発明の目的を達成できる範囲での変形、改良等は本発明に含まれるものである。
【００９２】
例えば上述の実施形態では、表示部２１は液晶型の表示装置として構成されていたが、特にこれに限定されない。表示部２１として、有機ＥＬ（Ｅｌｅｃｔｒｏ−Ｌｕｍｉｎｅｓｃｅｎｃｅ）等自発光素子型の表示装置を採用することができる。
この場合、表示部２１により表示される画像の表示内容や表示状態の制御は、自発光素子を制御対象として行われる。
【００９３】
例えば上述の実施形態では、自分撮りがなされる場合には、撮像方向と表示方向とが一致していたが、必ずしも一致する必要はない。即ち、表示部２１は、撮像部２２により撮像される被写体に対して射出光が届く範囲内に設置可能であれば足りる。
【００９４】
例えば表示部２１により表示される画像の表示内容や表示状態の制御のタイミングは、上述の実施形態に限定されず任意でよい。具体的には例えば、ビューティ機能が選択されているときのみ、顔が検出されているときのみ、被写体が女性であるときのみ、被写体の顔の大きさがある一定以上のときのみ等、各種各様の条件が成立したときのみ、上述の制御が実行されてもよい。
【００９５】
また、上述の実施形態では、本発明が適用される撮像装置１は、デジタルカメラを例として説明したが、特にこれに限定されない。
例えば、本発明は、撮像機能及び表示機能を有する電子機器一般に適用することができる。具体的には、例えば、本発明は、ノート型のパーソナルコンピュータ、プリンタ、テレビジョン受像機、ビデオカメラ、スマートフォン、携帯型ナビゲーション装置、携帯電話機、ポータブルゲーム機等に適用可能である。
【００９６】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００９７】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００９８】
このようなプログラムを含む記録媒体は、ユーザにプログラムを提供するために装置本体とは別に配布される図３のリムーバブルメディア６１により構成されるだけでなく、装置本体に予め組み込まれた状態でユーザに提供される記録媒体等で構成される。リムーバブルメディア６１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図３のＲＯＭ４２や、図３の記憶部４８に含まれるハードディスク等で構成される。
【００９９】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【０１００】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【０１０１】
以下に、本願の出願当初の特許請求の範囲に記載された発明を付記する。
［付記１］
被写体を撮像する撮像手段と、
前記撮像手段により撮像される前記被写体に対して射出光が届く範囲内に設置可能な、前記射出光を用いて画像を表示する表示手段と、
前記表示手段からの射出光が前記被写体の撮影状態に与える影響を考慮して、撮影時における前記表示手段により表示される画像の表示内容と表示状態のうち少なくとも一方を、本撮影時の露光期間とそれ以外とで異ならせる制御を実行する射出光制御手段と、
を備えることを特徴とする撮像装置。
［付記２］
前記射出光制御手段は、少なくとも本撮影時の露光期間の前には、前記表示手段の表示内容をライブビュー画像とする制御を実行する、
ことを特徴とする付記１に記載の撮像装置。
［付記３］
前記射出光制御手段は、前記表示手段の表示状態を、本撮影時の露光期間の前には前記ライブビュー画像の視認に適した表示状態とし、本撮影時の露光期間中には被写体の撮影に適した射出光を与える表示状態とする制御を実行する、
ことを特徴とする付記２に記載の撮像装置。
［付記４］
前記射出光制御手段は、本撮影時の露光期間中に、前記ライブビュー画像を表示したままで、前記ライブビュー画像の明るさと色合いとのうち少なくとも一方を設定することで、被写体の撮影に適した照射光を与える表示状態とする制御を実行する、
ことを特徴とする付記３に記載の撮像装置。
［付記５］
前記表示手段は、バックライトに基づいて前記射出光を射出することで画像を表示し、
前記射出光制御手段は、本撮影時の露光期間中には、当該本撮影時の露光期間の前よりも前記表示手段の前記バックライトの輝度を上げる制御を実行する、
ことを特徴とする付記１乃至４のうち何れか１つに記載の撮像装置。
［付記６］
前記射出光制御手段は、本撮影時の露光期間中には、前記表示手段の色合いを、前記被写体の種別に応じた色合いにする制御を実行する、
ことを特徴とする付記１乃至５のうち何れか１つに記載の撮像装置。
［付記７］
前記射出光制御手段は、前記被写体が人物の場合には、本撮影時の露光期間中に、前記表示手段の色合いを、前記本撮影時の露光期間以外と比較して、より赤みのある色合いにする制御を実行する、
ことを特徴とする付記１乃至６のうち何れか１つに記載の撮像装置。
［付記８］
前記射出光制御手段は、前記表示手段の表示内容を、本撮影時の露光期間の前にはライブビュー画像とし、本撮影時の露光期間中には、画像が表示された前記表示手段からの射出光が前記被写体の撮影状態に所定の影響を与える所定の表示内容とする制御を実行する、
ことを特徴とする付記３に記載の撮像装置。
［付記９］
前記射出光制御手段は、本撮影時の露光期間中には、前記所定の表示内容として、前記表示手段に表示される画像内の相対的に明るい部分の形状を、被写体が人物の場合におけるキャッチアイ効果を考慮した所定の形状にする制御を実行する、
ことを特徴とする付記８に記載の撮像装置。
［付記１０］
前記射出光制御手段は、本撮影時の露光期間中には、前記所定の表示内容として、前記表示手段に表示される画像内の相対的に明るい部分の位置を、被写体の種類と状態のうち少なくとも一方に応じて変化させる制御を実行する、
ことを特徴とする付記８に記載の撮像装置。
［付記１１］
前記射出光制御手段は、前記被写体が撮影者自身となる動作モードが設定された場合、前記表示手段の表示状態を、人物の撮影に適した射出光を与える表示状態とする制御を実行する、
ことを特徴とする付記２に記載の撮像装置。
［付記１２］
前記表示手段は、その表示面を撮像方向とその反対方向との間で回動可能であり、当該表示面が撮像方向に向けられた場合に、前記前記被写体が撮影者自身となる前記動作モードであると判断する主制御手段
をさらに備えることを特徴とする付記１１に記載の撮像装置。
［付記１３］
被写体を撮像する撮像手段と、
前記撮像手段により撮像される被写体に対して射出光が届く範囲内に設置可能な、前記射出光を用いて画像を表示する表示手段と、
を備える撮像装置に対する制御を実行する撮像制御方法であって、
前記表示手段からの射出光が前記被写体の撮影状態に与える影響を考慮して、撮影時における前記表示手段により表示される画像の表示内容と表示状態のうち少なくとも一方を、本撮影時の露光期間とそれ以外とでは異ならせる制御を実行する射出光制御ステップ、
を含むことを特徴とする撮像制御方法。
［付記１４］
被写体を撮像する撮像手段と、
前記撮像手段により撮像される被写体に対して射出光が届く範囲内に設置可能な、前記射出光を用いて画像を表示する表示手段と、
を備える撮像装置に対する制御を実行するコンピュータを、
前記表示手段からの射出光が前記被写体の撮影状態に与える影響を考慮して、撮影時における前記表示手段により表示される画像の表示内容と表示状態のうち少なくとも一方を、本撮影時の露光期間とそれ以外とでは異ならせる制御を実行する射出光制御手段、
として機能させることを特徴とするプログラム。
【符号の説明】
【０１０２】
１・・・撮像装置、２１・・・表示部、２２・・・撮像部、４１・・・ＣＰＵ、４２・・・ＲＯＭ、４３・・・ＲＡＭ、４４・・・画像処理部、４５・・・バス、４６・・・入出力インターフェース、４７・・・操作部、４８・・・記憶部、４９・・・通信部、５０・・・ドライブ、５１・・・バックライト部、６１・・・リムーバブルメディア、７１・・・主制御部、７２・・・撮像制御部、７３・・・表示制御部、７４・・・記録制御部、７５・・・射出光制御部
【図１】
2014183558.tif 000003
【図２】
2014183558.tif 000004
【図３】
2014183558.tif 000005
【図４】
2014183558.tif 000006
【図５】
2014183558.tif 000007
【図６】
2014183558.tif 000008
【図７】
2014183558.tif 000009
【図８】
2014183558.tif 000010
【図９】
2014183558.tif 000011
【図１０】
2014183558.tif 000012